(57)【要約】【課題】シリンジ筒内の検体を滴下しやすいようにするアタッチメントを提供する。【解決手段】アタッチメント３は、シリンジ筒１０の先端部１２に着脱可能に取り付けられて、シリンジ筒１０内の液状の検体Ｓを滴下するために用いられる。アタッチメント３は、チューブ４と、チューブ４の一端に設けられた滴下用のノズル５と、チューブ４の他端に設けられ、先端部１２に着脱可能に装着されるアダプタ６と、を備える。アダプタ６は、当該アダプタ６が先端部１２に装着されたときシリンジ筒１０内とチューブ４内とを連通させる連通孔を有する。チューブ４は、その軸線に直交する方向に可撓性を有する。チューブ４が押圧されることにより当該チューブ４内の検体Ｓがノズル５から滴下される。【選択図】図５
2020168605.tif 000002
【特許請求の範囲】
【請求項１】
シリンジ筒の先端部に着脱可能に取り付けられて、前記シリンジ筒内の液状の検体を滴下するために用いられるアタッチメントであって、
チューブと、
前記チューブの一端に設けられた滴下用のノズルと、
前記チューブの他端に設けられ、前記先端部に着脱可能に装着されるアダプタと、を備え、
前記アダプタは、当該アダプタが前記先端部に装着されたとき前記シリンジ筒内と前記チューブ内とを連通させる連通孔を有し、
前記チューブは、その軸線に直交する方向に可撓性を有し、
前記チューブがその外周から押圧されることにより当該チューブ内の前記検体が前記ノズルから滴下される、
ことを特徴とするアタッチメント。
【請求項２】
前記チューブ内に設けられ、前記検体から特定の成分を取り除くための少なくとも１つのフィルタをさらに備える、
ことを特徴とする請求項１に記載のアタッチメント。
【請求項３】
複数の前記フィルタが、前記チューブの前記軸線の方向に積層されている、
ことを特徴とする請求項２に記載のアタッチメント。
【請求項４】
前記チューブ内で前記アダプタに取り付けられ、前記フィルタを収容しかつ保持するフィルタ容器をさらに備え、
前記アダプタが前記先端部に装着されたとき、前記連通孔は、前記フィルタ容器内と前記シリンジ筒内とを連通させ、
前記フィルタ容器は、前記フィルタを通過した前記検体を当該フィルタ容器外へ排出するための排出孔を有する、
ことを特徴とする請求項２または請求項３に記載のアタッチメント。
【請求項５】
血液の滴下のために用いられる、
ことを特徴とする請求項１から請求項４のいずれか１項に記載のアタッチメント。
【発明の詳細な説明】
【技術分野】
【０００１】
本発明は、シリンジ筒の先端部に取り付けられ、シリンジ筒内の液状の検体を滴下するために用いられるアタッチメントに関する。
【背景技術】
【０００２】
検査キットを用いて血液を検査するためには、まず採血する必要がある。特許文献１の採血器具は、シリンジ筒およびプランジャを有するシリンジを備える。採血器具は、シリンジ筒の先端部に着脱可能に取り付けられる採血針をさらに備える。
【０００３】
使用者は、採血針をシリンジ筒の先端部に取り付け、採血して、血液をシリンジ筒内に保持する。使用者は、採血針を先端部から外す。そして、使用者は、プランジャを操作して、シリンジ筒内の血液を先端部から検査キットへ流下させる。もしくは、血液を一度ピペットに移し替えて、ピペットから検査キットへ滴下していた。
【０００４】
しかしながら、血液をシリンジ筒の先端部から流す場合、血液が連続的に流れ出てしまい血液を一滴ずつ定量的に滴下できない問題があった。また、ピペットを用いる場合、血液をピペットに移し替える作業は面倒である。血液だけに限らず、他の液状の検体においてもこのような問題は生じうる。
【先行技術文献】
【特許文献】
【０００５】
【特許文献１】実開昭５７−５１５１０号公報
【発明の概要】
【発明が解決しようとする課題】
【０００６】
本発明は、シリンジ筒内の液状の検体を滴下しやすくするアタッチメントを提供することを目的とする。
【課題を解決するための手段】
【０００７】
本発明は、シリンジ筒の先端部に着脱可能に取り付けられて、前記シリンジ筒内の液状の検体を滴下するために用いられるアタッチメントであって、
チューブと、
前記チューブの一端に設けられた滴下用のノズルと、
前記チューブの他端に設けられ、前記先端部に着脱可能に装着されるアダプタと、を備え、
前記アダプタは、当該アダプタが前記先端部に装着されたとき前記シリンジ筒内と前記チューブ内とを連通させる連通孔を有し、
前記チューブは、その軸線に直交する方向に可撓性を有し、
前記チューブがその外周から押圧されることにより当該チューブ内の前記検体が前記ノズルから滴下される、
ことを特徴とする。
【０００８】
好ましくは、アタッチメントは、前記チューブ内に設けられ、前記検体から特定の成分を取り除くための少なくとも１つのフィルタをさらに備える。
【０００９】
好ましくは、複数の前記フィルタが、前記チューブの前記軸線の方向に積層されている。
【００１０】
好ましくは、アタッチメントは、前記チューブ内で前記アダプタに取り付けられ、前記フィルタを収容しかつ保持するフィルタ容器をさらに備え、
前記アダプタが前記先端部に装着されたとき、前記連通孔は、前記フィルタ容器内と前記シリンジ筒内とを連通させ、
前記フィルタ容器は、前記フィルタを通過した前記検体を当該フィルタ容器外へ排出するための排出孔を有する。
【００１１】
好ましくは、アタッチメントは、血液の滴下のために用いられる。
【発明の効果】
【００１２】
本発明によれば、シリンジ筒内の液状の検体を滴下しやすくするアタッチメントが提供される。
【図面の簡単な説明】
【００１３】
【図１】図１Ａは、シリンジの正面図であり、図１Ｂは、図１Ａの領域Ｔの拡大断面図である。
【図２】図２Ａは、採血針の正面図であり、図２Ｂは、図２Ａの断面図である。
【図３】図３Ａは、一例に係るアタッチメントの正面図であり、図３Ｂは、図３Ａの断面図であり、図３Ｃは、アタッチメントのシリンジへの取付けを示す断面図である。
【図４】図４Ａ、図４Ｂは、アタッチメントの使用例を説明する。
【図５】アタッチメントの使用例を説明する。
【図６】図６Ａは、他例に係るアタッチメントの正面図であり、図６Ｂは、図６Ａの断面図であり、図６Ｃは、アタッチメントのシリンジへの取付けを示す断面図である。
【発明を実施するための形態】
【００１４】
以下、本発明の一実施形態に係るアタッチメントが説明される。アタッチメントは、シリンジ筒の先端部に取り付けられて、シリンジ筒内の液状の検体を滴下するために用いられる。以下では、液状の検体が、血液である場合について説明される。
【００１５】
図１Ａは、シリンジ１を示す。シリンジ１は、シリンジ筒１０と、プランジャ１１とを備える。シリンジ筒１０は、先端部１２と、本体部１３とを含む。
【００１６】
図１Ｂは、図１Ａの領域Ｔの拡大断面図である。先端部１２は、円筒形状の本体部１３よりも小径の円筒形状の口部１４と、口部１４の周りに設けられた円筒形状の外筒部１５とを備える。雌ネジ１６が、外筒部１５の内周面に形成されている。
【００１７】
図１Ａの通り、プランジャ１１は、シリンジ筒１０の基端の開口からシリンジ筒１０内に挿入されてシリンジ筒１０に対して摺動可能である。プランジャ１１は、シリンジ筒１０の本体部１３内を気密に摺動するガスケット１７をその先端に備える。プランジャ１１がシリンジ筒１０に対して摺動することで、血液Ｓ（図５参照）を、口部１４を通じてシリンジ筒１０内に対して出し入れすることができる。
【００１８】
図２Ａ、Ｂは、採血針２を拡大して示す。シリンジ１と採血針２とによって採血器具（検体採取器具の一例）が構成されている。採血針２は、ハブ２０と、ハブ２０の先端に取り付けられた針管２１とからなる。雄ネジ２２がハブ２０の基端に形成されている。
【００１９】
採血針２は、ルアーフィッティングの形式でシリンジ筒１０の先端部１２に取り付けられる。すなわち、口部１４がオスルアーとして構成され、ハブ２０がメスルアーとして構成されている。雄ネジ２２が雌ネジ１６に係合して口部１４がハブ２０に嵌入することで、ハブ２０が先端部１２に装着される。上述の構成は、特許文献１と同様であるためその詳細は省略されている。
【００２０】
図３Ａ、Ｂは、本発明の一実施形態に係るアタッチメント３を示す。アタッチメント３は、チューブ４と、チューブ４の一端に設けられた滴下用のノズル５と、チューブ４の他端に設けられたアダプタ６とを備える。
【００２１】
チューブ４は、円筒形状であり、その軸線４ａに直角な方向に可撓性を有する。したがって、チューブ４がその外周面４０から押圧されると収縮し、押圧を解除すると元の状態に戻る。チューブ４の材料は、特に限定されるものではないが、例えば、低密度ポリエチレン（ＬＤＰＥ）である。
【００２２】
ノズル５の基端は、チューブ４の一端に内嵌されており、これらの間はシールされている。ノズル５は、軸線４ａに沿ってのびる貫通孔としてノズル孔５０を有する。ノズル５は、血液Ｓを滴下するために用いられるものであり、血液Ｓは、後述の通り、チューブ４内からノズル孔５０を通って、ノズル５の先端から滴下される。チューブ４とノズル５とは、実施形態のように別体として成形されもよいし、一体成形されてもよい。
【００２３】
アダプタ６は、チューブ４の他端に外嵌されたベース６０を備える。ベース６０とチューブ４の他端との間はシールされている。
【００２４】
アダプタ６は、ベース６０からチューブ４外に向かってチューブ４の軸線４ａに沿ってのびる接続部６１をさらに備える。雄ネジ６２が、接続部６１の先端に形成されている。雄ネジ６２は、採血針２の雄ネジ２２と同様のものである。
【００２５】
アダプタ６は、そのベース６０および接続部６１を貫通して軸線４ａに沿ってのびる貫通孔として連通孔６３をさらに備える。したがって、接続部６１は、実質的に円筒形状を有する。
【００２６】
アタッチメント３は、採血針２と同様のルアーフィッティングの形式でシリンジ筒１０の先端部１２に着脱可能に取り付けられる。すなわち、接続部６１がメスルアーとして構成されている。したがって、図３Ｃの通り、雄ネジ６２が雌ネジ１６に係合して口部１４が接続部６１に嵌入することで、アダプタ６が先端部１２に着脱可能に装着される。このとき、シリンジ筒１０内とチューブ４内とが連通孔６３によって連通する。
【００２７】
以下で、アタッチメント３の使用例が説明される。
まず、血液が採取される。すなわち、使用者は、採血針２をシリンジ１の先端部１２に取り付けて、被検者から採血して、血液Ｓをシリンジ筒１０内に保持する。
【００２８】
次いで、使用者は、採血針２からアタッチメント３に付け替える。すなわち、使用者は、採血針２を先端部１２から外して、アタッチメント３のアダプタ６を先端部１２に装着する。
【００２９】
次いで、図４Ａの通り、使用者は、アタッチメント３を上向きにして、プランジャ１１を操作して、血液Ｓをシリンジ筒１０内からチューブ４内に移動させる。そして、図４Ｂの通り、アタッチメント３を下向きにする。血液Ｓは、チューブ４内でノズル５側に溜められる。なお、ガスケット１７が、空気がシリンジ筒１０の基端からシリンジ筒１０を通じてチューブ４内に進入することを防止しているので、図４Ｂの通り、アタッチメント３を下向きにしても、チューブ４内の血液Ｓは外力を加えない限りノズル５から出ない。
【００３０】
次いで、図５の通り、使用者は、筆記具を持つように、アタッチメント３が取り付けられたシリンジ１を持つ。すなわち、使用者は、シリンジ１を親指と人差指との間の付根の部分で支持するとともにアタッチメント３のチューブ４の外周面４０をグリップする。
【００３１】
次いで、使用者は、グリップしている指でチューブ４をその外周面４０の両側から押圧して圧縮させる（図４Ｂの矢印参照）。チューブ４がその外周から押圧され圧縮されることで、チューブ４内の血液Ｓがノズル孔５０を通ってノズル５の先端から検査キット９（図５）上に滴下される。検査キット９は、実施形態では血液凝固を検査するものである。
【００３２】
なお、一滴の量は、チューブ４の内径によって概ね決定されるので、チューブ４の内径を予め決めておけば定量的な滴下が可能である。
【００３３】
以上の通り、アタッチメント３を用いることにより、シリンジ筒１０内の血液を一滴ずつ定量的に滴下することが可能になる。また、筆記具を持つような安定した形式で血液Ｓを滴下できるようになっていることも利点である。滴下数の調整は、使用者がチューブ４の外周面４０への押圧力を調整することによって感覚的にかつ簡単に行える。従来のようなピペットに移し替える作業も不要である。
【００３４】
図６は、アタッチメント３の別の実施形態を示す。アタッチメント３は、チューブ４内に設けられたフィルタ７と、チューブ４内でアダプタ６に取り付けられて、フィルタ７を収容しかつ保持するフィルタ容器８とをさらに備える。
【００３５】
フィルタ７は、検体からその中に含まれる特定の成分を取り除くものである。実施形態では、フィルタ７は、血液をろ過して、血液からその中に含まれる細胞成分（血球）を取り除き、ろ液として血漿を得るものである。なお、複数のフィルタ７が、図６Ｂのようにチューブ４の軸線４ａの方向に積層されてもよい。フィルタ７自体は、周知のものであるのでその詳細は省略される。
【００３６】
アダプタ６は、ベース６０からチューブ４内に向かってチューブ４の軸線４ａに沿ってのびる円筒形状の突出部６４をさらに備えている。突出部６４の内部は、連通孔６３の一部を構成している。フィルタ容器８は、その開口縁のフランジ部８０がアダプタ６のベース６０に超音波溶着されている。そして、突出部６４は、フィルタ容器８に受容されており、フィルタ７と対向している。フィルタ容器８は、その底面に排出孔８１を有している。
【００３７】
したがって、図６Ｃの通り、アダプタ６が先端部１２に装着されたとき、フィルタ容器８内とシリンジ筒１０内とが連通孔６３によって連通する。
【００３８】
この構成によれば、図４Ａの通り、血液Ｓがシリンジ筒１０内からチューブ４内に移動するとき、まずフィルタ容器８内に流れ、フィルタ７を通過し、フィルタ７によってろ過されて、その中にある細胞成分がフィルタ７によって取り除かれる。それによって、血漿Ｓが、ろ過された検体として得られ、排出孔８１を通じてフィルタ容器８外へ排出され、チューブ４内のフィルタ容器８外の領域に溜まる。そして、血漿Ｓは、先の実施形態と同様に、可撓性のチューブ４がその外周から押圧されることでノズル５から滴下される。
【００３９】
図６Ｂの通り、ノズル５とフィルタ容器８との間に一定長さの空間が確保されており、使用者がフィルタ容器８に干渉することなくチューブ４をしっかりと押圧して血漿Ｓをノズル５から滴下できる。
【００４０】
このように本実施形態のアタッチメント３によれば、遠心分離にかけることなく、血漿Ｓの滴下を行える。このアタッチメント３によれば、検査に不要な成分をフィルタ７によって取り除き、検査に必要な成分だけを簡単に滴下することができる。
【００４１】
以上、本発明の好ましい実施形態について説明されたが、本発明は、上記実施形態に当然ながら限定されるものではない。
【００４２】
上記実施形態では、液状の検体が血液である例が説明されていたが、血液に限定されるものではない。他の液状の検体に用いられてもよい。
【００４３】
また、アダプタ６の先端部１２への装着には、ルアーフィッティングが採用されているが、これに限定されるものではない。アダプタ６は、先端部１２の形状に適合する構成を有すれば、どのようなものであってもよい。
【００４４】
フィルタ７は、実施形態では血液から血漿を得るためのものであったがこれに限られるものではない。フィルタ７の種類や性能は、検体の種類や、検査の内容に応じて適宜に決定されるものである。
【符号の説明】
【００４５】
１  シリンジ
１０  シリンジ筒
１１  プランジャ
１２  先端部
２  採血針
３  アタッチメント
４  チューブ
４０  外周面
４ａ  軸線
５  ノズル
５０  ノズル孔
６  アダプタ
６０  ベース
６１  接続部
６３  連通孔
７  フィルタ
８  フィルタ容器
８１  排出孔
９  検査キット
Ｓ  血液，血漿，検体
【図１】
2020168605.tif 000003
【図２】
2020168605.tif 000004
【図３】
2020168605.tif 000005
【図４】
2020168605.tif 000006
【図５】
2020168605.tif 000007
【図６】
2020168605.tif 000008